(57)【要約】【課題】  人体、器物、設備の除菌等を適切に行いうる衛生システムを提供する。【解決手段】  衛生管理システムＡには、建物Ｂの各場所に、人の手，野菜，食器類，壁，床などを洗浄（除菌）するための弱酸性水蛇口４１および噴霧器４３が配設され、便所５７，５８，６１には、ステリパワー水が流出されるウォシュレット４２が配設されている。弱酸性水蛇口４１，ウォシュレット４２および噴霧器４３（弱酸性水吐出機構）からは、弱酸性水であるステリパワー水（次亜塩素酸水）が吐出され、その次亜塩素酸濃度は、流量制御弁３１（濃度調節機構）によって、個別に制御されている。また、建物の屋上の機械室ＭＲには、ステリパワー水を生成する弱酸性水生成装置２と、ステリパワー水を貯留する弱酸性水タンク３と、制御盤４とが配置されている。【選択図】  図１
2009127260.tif 000002
【特許請求の範囲】
【請求項１】
水道水を供給するための水道水配管と、
設備内に配置され、酸性イオンを含む弱酸性水を貯留する弱酸性水タンクと、
上記弱酸性水タンクに接続され、弱酸性水を設備内に供給するための弱酸性水配管と、
上記水道水配管および弱酸性水配管に接続され、弱酸性水と水道水とを混合して弱酸性水濃度を調整するための濃度調節機構と、
上記濃度調節機構の下流側に設けられ、弱酸性水を吐出するための弱酸性水吐出機構と、
を備えている、衛生管理システム。
【請求項２】
請求項１記載の衛生管理システムにおいて、
上記濃度調節機構は、水道水の流量調節用電磁弁を有している、衛生管理システム。
【請求項３】
請求項１または２記載の衛生管理システムにおいて、
上記弱酸性水を生成するための弱酸性水生成装置をさらに備えている衛生管理システム。
【請求項４】
請求項１〜３のうちいずれか１つに記載の衛生管理システムにおいて、
上記弱酸性水は、次亜塩素酸溶液である、衛生管理システム。
【請求項５】
請求項１〜４のうちいずれか１つに記載の衛生管理システムにおいて、
上記吐出機構は、手洗い，食材洗浄装置，器具洗浄装置，汚物流し，室の床および壁面洗浄装置，トイレのウォシュレット，およびエステ用噴霧器のうち少なくともいずれか１つに配置されている、衛生管理システム。
【発明の詳細な説明】
【技術分野】
【０００１】
本発明は、病院，福祉施設、その他各種施設、集合住宅などの内部に消毒液を供給するための衛生管理システムに関する。
【背景技術】
【０００２】
近年、病院やなどにおいて、ブドウ球菌などによる院内感染が問題となっている。そこで、消毒を行うために、例えば洗面所などにあっては、消毒液を満たした洗面器を設置したり、洗面台における水栓の近傍に消毒液の入ったボトルを配置し、洗面器内の消毒液で消毒したりボトルの栓を押して消毒液を出し、これで消毒除菌を行っている。
【０００３】
ところで、洗面器内の消毒液は汚れ易く、衛生を保つためには頻繁に交換しなければならず、またボトル式のものは薬剤切れなどが頻繁にある。そこで、特許文献１に開示されるように、建物に設置された消毒液の貯留タンクから建物内各所の手洗い場に向けて分岐配管された消毒用配管を設け、各配管各末端に消毒液供給栓を接続することにより、消毒液の交換や補給にかかる多くの人手とコストとを削減しようとする消毒液の供給システムが知られている。
【特許文献１】特開平７−０７８６５号公報
【発明の開示】
【発明が解決しようとする課題】
【０００４】
しかしながら、上記従来の消毒液の供給システムでは、消毒液の交換や補給にかかる多くの人手とコストとを低減しうる効果はあっても、消毒機能は、消毒液を満たした洗面器やボトルとはほとんど異ならない。すなわち、人体以外の器物や設備の消毒には使用が困難であること、人体の消毒に使用する場合でも使用部位が手およびその付近に限定されること、使用者が消毒することを意識して使用する必要があるので、認知症患者が多い介護施設などでは確実に使用されないおそれがあること、などの不具合があった。
【０００５】
本発明の目的は、広く人体、器物、設備の除菌を適切に行いうる衛生システムの提供を図ることにある。
【課題を解決するための手段】
【０００６】
本発明の衛生管理ステムは、酸性イオンを含む弱酸性水を貯留する弱酸性水タンクから弱酸性水を設備内に供給するための弱酸性水配管と、弱酸性水と水道水とを混合して弱酸性水濃度を調整するための濃度調節機構と、弱酸性水を吐出するための弱酸性水吐出機構とを備えている。
衛生管理システムが配置される設備としては、病院，各種福祉施設，食品製造工場などの工場，マンションなどの集合住宅などがある。
【０００７】
これにより、弱酸性水排出口から流れる弱酸性水を利用して、人体の各部，人体以外の動物，各種器物，各種設備の消毒などを、それぞれ適切な濃度で簡単に行うことが可能になる。たとえば、人体に弱酸性水が接触する箇所では、安全な低濃度の弱酸性水によって除菌，消臭などを行ない、食材，調理器具，厨房の床，壁などを洗浄する箇所では、比較的高濃度の弱酸性水によって強力な除菌を行うことが可能になる。また、トイレのウォシュレットにおける清浄化，消臭効果や、エステ用の噴霧器によるエステ効果など、極めて多岐にわたる弱酸性水の利用が可能になる。
【０００８】
本発明の衛生管理システムにおいて、濃度調節機構が、水道水の流量調節用電磁弁を有していることにより、場所に応じた弱酸性水濃度の調節を自動的に制御することが可能になる。よって、手動による濃度調整に比べて、より確実な濃度調整を行うことができる。
【０００９】
また、洗浄タンクに貯留される弱酸性水を生成する弱酸性水生成装置をさらに備えることにより、生成して長期間経過していない弱酸性水を利用することができるので、除菌，消臭などの効果を確実に発揮することができる。また、水で薄める前の少量の薬剤だけ運搬すればよいので、トータルコストの低減を図ることができる。
【００１０】
弱酸性水としては、次亜塩素酸水（ステリパワー水）であることにより、次亜塩素酸の強力な除菌力を利用して、確実な除菌，消臭などの効果を発揮することができる。
【００１１】
弱酸性水吐出機構は、手洗い，食材洗浄装置，器具洗浄装置，汚物流し，室の床および壁面洗浄装置，トイレのウォシュレット，およびエステ用噴霧器のうち少なくともいずれか１つに配置されていることが好ましい。
【発明の効果】
【００１２】
本発明の衛生管理システムによると、広く人体、器物、設備の除菌，消臭などを適切に行いうる衛生管理システムの提供を図ることができる。
【発明を実施するための最良の形態】
【００１３】
図１は、本発明の実施形態に係る衛生管理システムＡの構成を概略的に示す配管系統図である。同図に示すように、本実施形態の衛生管理システムＡは、破線で示される建物Ｂ（たとえば福祉施設）に配置されている。図１においては、５階建ての建物を例にとっており、２階と４階とは、同じ構成であるので符号２・４Ｆで表示され、同様に、３階と５階とは符号３・４Ｆで表示されている。
【００１４】
建物の屋上の機械室ＭＲには、薬剤として次亜塩素酸（ＨＯＣｌ）を貯留する薬剤タンク１と、薬剤タンク１中の次亜塩素酸と水道水供給管２０から供給される水道水とを混合して、弱酸性水であるステリパワー水を生成する弱酸性水生成装置２と、弱酸性水生成装置２で生成されたステリパワー水を貯留する弱酸性水タンク３と、弱酸性水生成装置２の作動の制御や、後述するように各流量調節弁３１（電磁弁）の流量の制御を行う制御盤４とが配置されている。
薬剤タンク１の有効容量は、たとえば１００リットル程度である。また、弱酸性水生成装置２の生成量は、たとえば１０００リットル／Ｈｒ）である。薬剤タンク１と弱酸性水生成装置２とは、それぞれ２系統設けられている。図１には、薬剤タンク１が１基しか表示されていないが、実際には２基設けられている。弱酸性水生成装置２においては、１基の弱酸性水生成装置２内に、２個の攪拌機付き容器が配置されていて、弱酸性水（本実施形態では，次亜塩素酸溶液）と水道水とが攪拌機によって混合されて、次亜塩素酸濃度２００ｐｐｍ程度のステリパワー水が生成される。
水道水供給管２０は、開閉弁３０および減圧弁・フィルターユニット３５を経た後、開閉弁３０を経て分岐配管によって弱酸性水生成装置２をパスして建物内の水道水配管２１に流れる経路と、開閉弁３０を経て弱酸性水生成装置２内で次亜塩素酸と混合される経路とに分岐されている。
【００１５】
弱酸性水生成装置２で生成されたステリパワー水は、開閉弁３０および流量調節弁３１を介設した弱酸性水配管１１ａを介して弱酸性水タンク３に送られる。弱酸性水タンク３には、水位計３２が付設されていて、弱酸性水タンク３内のステリパワー水の水位をほぼ一定に保持するように、弱酸性水生成装置２におけるステリーパワー水の生成量を制御している。弱酸性水タンク３の容量は、たとえば２００リットル程度である。
なお、薬剤タンク１と弱酸性水生成装置２との間は、流量調節弁を介設した薬剤供給用配管によって接続されているが、図１においては、見やすくするために、薬剤タンク１と弱酸性水生成装置２との間における流量調節弁および薬剤供給用配管の図示が省略されている。
【００１６】
建物Ｂの１階（１Ｆ）には、厨房５０と、食堂・集会スペース５１と、相談室５２と、汚物室５３と、事務室５４と、廊下６２と、共用便所５６と、廊下便所５７と、洗濯室５８と、浴室５９とが設けられている。
【００１７】
厨房５０には、人の手，野菜，食器類，壁，床などを洗浄（除菌）するための弱酸性水蛇口４１および噴霧器４３と、水道水蛇口４５とが配設されている。弱酸性水蛇口４１や噴霧器４３には、屋上の機械室ＭＲから延びる弱酸性水配管１１から供給されるステリパワー水と、屋上の機械室から延びる水道水配管２１から流量調節弁３１を経た水道水との混合液が流れる。上記弱酸性水蛇口４１と、後述するウォシュレット４２と、噴霧器４３とは、弱酸性水を吐出する弱酸性水吐出機構として機能する。
噴霧器４３では、ステリーパワー水が超音波によって径２μｍ程度の水滴となって、噴霧される。
このとき、弱酸性水蛇口４１から流出されるステリパワー水と、噴霧器４３から噴霧されるステリパワー水とは、個別の流量調節弁３１によって個別の次亜塩素酸濃度に制御されている。たとえば、噴霧器４３から噴霧されるステリパワー水の次亜塩素酸濃度は、５０ｐｐｍ程度であり、弱酸性水蛇口４１から流出されるステリパワー水の次亜塩素酸濃度は、１００ｐｐｍ程度である。
【００１８】
図１において、厨房５０における弱酸性水蛇口４１は、１つしか表示されていないが、人の手を洗う蛇口と、野菜を洗う蛇口と、食器類を洗う蛇口とはそれぞれ区別されており，複数個の蛇口が配置されている。このとき、人の手を洗う蛇口と、野菜を洗う蛇口と、食器類を洗う蛇口との直前にそれぞれ流量調節弁３１を介設して、３種類の蛇口におけるステリパワー水の濃度を個別に制御してもよい。
同様に、厨房５０における噴霧器４３は、１つしか表示されていないが、床を洗浄する噴霧器と、壁を洗浄する噴霧器とに分けられており、厨房５０内にそれぞれ複数個ずつ配置されている。
我が国の食中毒の原因は、主に、サルモネラ菌，ブドウ球菌，大腸菌，ノロウィルスなどによって生じることが知られている。ステリパワー水（弱酸性液）の除菌効果は、広く各種菌に対して発揮されるので、本実施の形態の弱酸性水蛇口４１および噴霧器４３を用いることにより、食材，まな板などの調理器具の衛生管理や、床や壁の清掃を一括して行うことができる。
【００１９】
また、食堂・集会スペース５１と、相談室５２と、汚物室５３と、事務室５４とには、厨房４５と同様に、弱酸性水蛇口４１と、噴霧器４３とが配設されている。廊下６２には、噴霧器４３が配設されている。そして、汚物室５３の弱酸性水蛇口４１および噴霧器４３から流出または噴霧されるステリパワー水の次亜塩素酸濃度は、１２０ｐｐｍ程度であり、食堂・集会スペース５１，相談室５２および事務室５４の弱酸性水蛇口４１および噴霧器４３から流出または噴霧されるステリパワー水の次亜塩素酸濃度は、５０ｐｐｍ程度である。
たとえば、汚物室５３においては、汚物の入った容器にステリパワー水を直接スプレーすることにより、多大の消臭効果を発揮することができる。
食堂・集会スペース５１，談話室５２，共用便所５６，廊下など、人の集まる場所にステリパワー水の水滴を噴霧することにより、インフルエンザウィルス，結核菌，ノロウィルスなどの除菌効果を発揮しうるとともに、臭いの原因菌も除菌できるため、消臭効果を発揮することもできる。
【００２０】
洗濯室５８および浴室５９には、洗濯水，シャワー用，足し水用，清掃用などに使用される弱酸性水蛇口４１や噴霧器４３が配設されている。弱酸性水蛇口４１や噴霧器４３から流出されるステリパワー水の次亜塩素酸濃度は、５０ｐｐｍ程度である。浴室では、特にレジオネラ菌の繁殖が問題となる。レジオネラ菌は、５０℃の湯中でも死滅しないので、よどんだ水や湯の中で増殖し、ミストや湯を吸い込んだり、加湿器，給湯設備，循環式浴槽などが感染源となることがある。それに対し、本実施形態のごとく、ステリパワー水を浴槽の足し水として供給したり、浴室清掃に用いることにより、ステリパワー水が高温において除菌力が向上することをも利用して、レジオネラ菌などの雑菌の繁殖を抑制することができる。
図１において、洗濯室５８および浴室５９における弱酸性水蛇口４１は、１つしか表示されていないが、ステリパワー水を用いる箇所に応じて、複数個の蛇口が配置されている。このとき、各蛇口におけるステリパワー水の濃度を個別に制御してもよい。
【００２１】
なお、１階の食堂・集会スペース５１，相談室５２，汚物室５３，事務室５４，洗濯室５８および浴室５９にも、厨房５０と同様に、水道水蛇口４５が配設されているが、見やすくするために、図１では、これらの図示を省略している。
【００２２】
一方、共用便所５６および廊下便所５７には、ステリパワー水が流出されるウォシュレット４２および手洗い用の弱酸性水蛇口（図示を省略）が配設されている。ウォシュレット４２および弱酸性水蛇口から流出されるステリパワー水の次亜塩素酸濃度は、５０ｐｐｍ程度である。また、廊下６２には、廊下６２の壁や床を洗浄（除菌，消臭）するための噴霧器４３が配設されている。噴霧器４３から噴霧されるステリパワー水の次亜塩素酸濃度は、５０ｐｐｍ程度である。
【００２３】
建物Ｂの２階および４階は、共通の構造になっており、多数の個室６０と、便所６１と、廊下６２と、談話スペース６３とが設けられている。各個室６０および談話スペース６３には、手洗い用の弱酸性水蛇口４１と、飲用の水道水蛇口（図示を省略）とが配設されている。廊下６２には、廊下６２の壁や床を洗浄（除菌，消臭）するための噴霧器４３が配設されている。便所６１には、ステリパワー水が流出されるウォシュレット４２および弱酸性水蛇口（図示を省略）が配置されている。
２階および４階における弱酸性水蛇口４１，ウォシュレット４２および弱酸性水蛇口から流出されるステリパワー水の次亜塩素酸濃度は、いずれも５０ｐｐｍ程度である。
【００２４】
建物Ｂの３階および５階は、共通の構造になっており、多数の個室６０と、便所６１と、廊下６２と、談話スペース６３と，浴室５９とが設けられている。各個室６０および談話スペース６３には、手洗い用の弱酸性水蛇口４１と、飲用の水道水蛇口（図示を省略）とが配設されている。便所６１には、ステリパワー水が流出されるウォシュレット４２および弱酸性水蛇口（図示を省略）が配置されている。廊下６２には、廊下６２の壁や床を洗浄（除菌，消臭）するための噴霧器４３が配設されている。
３階および５階における弱酸性水蛇口４１，ウォシュレット４２および弱酸性水蛇口から流出されるステリパワー水の次亜塩素酸濃度は、いずれも５０ｐｐｍ程度である。
【００２５】
浴室５９には、１階の浴室５９と同様に、弱酸性水蛇口４１および噴霧器４３が配設されている。弱酸性水蛇口４１および噴霧器４３から流出されるステリパワー水の次亜塩素酸濃度は、５０ｐｐｍ程度である。
【００２６】
なお、２〜５階の個室６０，談話スペース６３および浴室５９にも、厨房５０と同様に、水道水蛇口４５が配設されているが、見やすくするために、図１では、これらの図示を省略している。
【００２７】
上記実施形態において、弱酸性水蛇口４１の上流側、かつ弱酸性水配管１１と水道水配管２１との合流点またはそのの下流側に、ステリパワー水と水道水とを十分均一に混合させるための混合室を設けてもよい。
【００２８】
本実施形態によると、ステリパワー水（弱酸性水）を建物Ｂの各室に、種々の用途で流すとともに、濃度調節機構（本実施形態では、流量制御弁３１）により、ステリパワー水中の酸性イオン濃度（本実施形態では、次亜塩素酸イオン）の濃度を個別に調節可能な構成としたので、用途に応じた適切な濃度のステリパワー水により、人体，器具類，野菜，魚，床，壁などの洗浄や除菌，消臭をすることができる。
【００２９】
本発明の濃度調節機構は、本実施形態における電磁弁である流量制御弁に限られるものではなく、たとえばステリパワー水水道水との割合を手動で調節する混合栓であってもよい。
ただし、本実施形態においては、濃度調節機構が、制御盤４によって流量が制御される電磁弁である流量制御弁３１であることから、使用者の状態に拘わらず、常に一定濃度の酸性イオンを含むステリパワー水を用いることが可能になる。たとえば、福祉施設などで使用する場合、医師や看護師などの専門的知識を有する者と、一般人，障害者などでは、それぞれ濃度の調節能力がばらついているが、流量制御弁３１で一律に制御することにより、誰が使用しても、用途に応じた適切な濃度のステリパワー水を用いることができる。
【００３０】
また、本実施形態では、衛生管理システムＡに、ステリパワー水を生成する弱酸性水生成装置２を備えているので、比較的新鮮なステリパワー水を用いることができる。弱酸性水タンク３を大容量にして、長期の間ステリパワー水を弱酸性水タンク３に保管すると、ステリパワー水の除菌効果が薄まることもありうるが、本実施形態のごとく、生成されてそれほど時間を経過していない新鮮なステリパワー水を用いることにより、上述のような除菌効果や消臭効果を確実に発揮することができる。
また、次亜塩素酸を大量の水で薄めてステリパワー水を生成するが、大量のステリパワー水を運搬する代わりに、少量の次亜塩素酸を運搬して保管することで、トータルコストの低減を図ることもできる。
【００３１】
本発明の薬剤としては、次亜塩素酸，塩酸など塩素イオンを含む薬剤が好ましい。図２は、文献「浄水の技術」（丹保憲仁・小笠原共著、技術堂出版）に掲載されている有効塩素量のｐＨ依存性を示すデータである。塩素は、その水溶液のｐＨによって形を変えることが知られており、塩素イオンを含む薬剤の中でも、次亜塩素酸（ＨＯＣｌ）によって強力な除菌力が得られることが知られている。ただし、ｐＨがあまりにも低いと人体への悪影響が懸念されるので、本実施形態のステリパワー水としては、ｐＨ５〜７の領域Ｒａにある者が利用されている。これにより、確実な除菌力を発揮しつつ、環境や人に優しい除菌水が得られる。
ただし、本発明の弱酸性水は、次亜塩素酸溶液に限定されるものではなく、除菌力を発揮することができる他の弱酸性溶液を用いることができる。
【００３２】
なお、本実施形態の福祉施設の個室６０にオプションとして、エステ用の噴霧器を配設してもよい。ステリパワー水は、様々な微生物，有機物を分解除去するので、皮膚の角質，老廃物，炎症原因菌を除去し、皮膚を清潔に保つことができる。たとえば、頭皮と一枚でつながっている肌も頭皮と同じ同じ蛋白質からなり、弱酸性である。したがって、噴霧器により、ステリパワー水のスチームを頭皮や肌に吹き付けることにより、頭皮をスチームで代謝促進させている最中に、肌も優しくケアされることになる。敏感肌，アトピー性皮膚炎などにも有効である。
【００３３】
上記開示された本発明の実施の形態の構造は、あくまで例示であって、本発明の範囲はこれらの記載の範囲に限定されるものではない。本発明の範囲は、特許請求の範囲の記載によって示され、さらに特許請求の範囲の記載と均等の意味及び範囲内でのすべての変更を含むものである。
【産業上の利用可能性】
【００３４】
本発明の衛生管理システムは、各種病院，介護施設，食品製造工場などの製造設備，集合住宅などの各部における除菌，消臭，エステなどのための衛生管理システムとして利用することができる。
【図面の簡単な説明】
【００３５】
【図１】本発明の実施形態に係る衛生管理システムの構成を概略的に示す配管系図である。
【図２】文献に掲載されている有効塩素量のｐＨ依存性を示すデータである。
【符号の説明】
【００３６】
１    薬剤タンク
２    弱酸性水生成装置
３    弱酸性水タンク
４    制御盤
１１  弱酸性水配管
２０  水道水供給管
２１  水道水配管
３０  開閉弁
３１  流量調節弁
３２  水位計
３５  減圧弁・フィルターユニット
４１  弱酸性水蛇口（弱酸性水吐出機構）
４２  ウォシュレット（弱酸性水吐出機構）
４３  噴霧器（弱酸性水吐出機構）
４５  水道水蛇口
５０  厨房
５１  食堂・集会スペース
５２  相談室
５３  汚物室
５４  事務室
５６  共用便所
５７  廊下便所
５８  洗濯室
５９  浴室
６０  個室
６１  便所
６２  廊下
６３  談話スペース
【図１】
2009127260.tif 000003
【図２】
2009127260.tif 000004